(57)【要約】【課題】ウェビングの捻れの有無を手触りで確認することができ、捻れのない状態で着用することができるシートベルト用ウェビングを提供する。【解決手段】経糸３ａ、３ｂと緯糸５とを用いて製織された織布からなり、その幅方向の一端部側７には、緯糸５から形成された複数の第１ループ９が配されており、他端部側１１には、緯糸から形成された複数の第２ループ１３が配されている。また、複数の第２ループ１３は絡み糸１５が編み込まれて互いに結ばれている。更に、経糸３ａ、３ｂは、一端部側７に用いられているものと、他端部側１１に用いられているものとでは、繊度が異なっている。経糸３ａ、３ｂの繊度は、一端部側７のものと比べて、他端部側１１のものの方が大きいことが好ましい。また、絡み糸１５はモノフィラメントであることが好ましい。【選択図】図４
2015016736.tif 000002
【特許請求の範囲】
【請求項１】
経糸と緯糸とを用いて製織された織布からなるシートベルト用ウェビングであって、
その幅方向の一端部側には、前記緯糸から形成された複数の第１ループが配されており、
その幅方向の他端部側には、前記緯糸から形成された複数の第２ループが配されており、
前記複数の第２ループは絡み糸が編み込まれて互いに結ばれており、
前記経糸は、前記一端部側に用いられているものと、前記他端部側に用いられているものとでは、繊度が異なっていることを特徴とするシートベルト用ウェビング。
【請求項２】
前記経糸の繊度は、前記一端部側のものと比べて、前記他端部側のものの方が大きい請求項１に記載のシートベルト用ウェビング。
【請求項３】
前記絡み糸はモノフィラメントである請求項１又は２に記載のシートベルト用ウェビング。
【発明の詳細な説明】
【技術分野】
【０００１】
本発明は、シートベルト用ウェビングに関する。更に詳しくは、本発明は、着用したときにウェビングの捩れの有無を手触りで確認することができ、捩れのない状態で着用することができるシートベルト用ウェビングに関する。
【背景技術】
【０００２】
従来、自動車などの乗物の衝突時等に乗員を座席に拘束する装置としてシートベルトが知られている。例えば、ウェビングが乗員の肩から胸及び腰にかけて掛け渡される３点式シートベルトが知られている。この場合、乗員は、ウェビングの捩れ等を目視により確認することはせず、引き出すことも多い。
【０００３】
上述のようなシートベルト装置として、複数本の経糸と緯糸を交差させて織り込んで帯状に形成し、緯糸の一方の端部に絡み糸が織り込まれ、ほつれが防止されているウェビングが知られている（例えば、特許文献１参照。）。
【先行技術文献】
【特許文献】
【０００４】
【特許文献１】特開平９−２５４７４０号公報
【発明の概要】
【発明が解決しようとする課題】
【０００５】
特許文献１に記載されたシートベルト装置では、ウェビングの縦方向の強度の向上が図られている。しかし、着用するときにウェビングが捩れることがある。
本発明は上述の従来の状況に鑑みてなされたものであり、着用したときにウェビングの捩れの有無を手触りで確認することができ、捩れのない状態で着用することができるシートベルト用ウェビングを提供することを目的とする。
【課題を解決するための手段】
【０００６】
本発明は以下のとおりである。
１．経糸と緯糸とを用いて製織された織布からなるシートベルト用ウェビングであって、
その幅方向の一端部側には、前記緯糸から形成された複数の第１ループが配されており、
その幅方向の他端部側には、前記緯糸から形成された複数の第２ループが配されており、
前記複数の第２ループは絡み糸が編み込まれて互いに結ばれており、
前記経糸は、前記一端部側に用いられているものと、前記他端部側に用いられているものとでは、繊度が異なっていることを特徴とするシートベルト用ウェビング。
２．前記経糸の繊度は、前記一端部側のものと比べて、前記他端部側のものの方が大きい前記１．に記載のシートベルト用ウェビング。
３．前記絡み糸はモノフィラメントである前記１．又は２．に記載のシートベルト用ウェビング。
【発明の効果】
【０００７】
本発明のシートベルト用ウェビングは、幅方向の他端部側に、緯糸から形成された複数の第２ループが配されている。また、複数の第２ループは絡み糸が編み込まれて互いに結ばれている。更に、幅方向の一端部側と他端部側とで、経糸の繊度が異なっている。即ち、幅方向の一端部側と他端部側とでウェビングの厚さが異なっている。
このような構成とされていると、乗員がシートベルトを着用するときに、ウェビングを目視しなくても、幅方向の厚薄及び絡み糸の手触りによってウェビングの捩れの有無を確認することができる。そのため、ウェビングに捩れがない状態で着用することができる。従って、シートベルトが本来有する性能が十分に発揮され、安全を確保することができる。
請求項２のシートベルト用ウェビングでは、経糸の繊度が、幅方向の一端部側のものと比べて、他端端部のものの方が大きい。
このような構成とされていると、ウェビングの引き出し時、手でウェビングに触れたときに、絡み糸が編み込まれた側が厚いことと、絡み糸の触感とによって、目視しなくても、手触りでウェビングの捩れの有無をより容易に確認することができる。
請求項３のシートベルト用ウェビングでは、絡み糸はモノフィラメントである。
このような構成とされていると、ウェビングの幅方向の厚薄と、絡み糸のモノフィラメントの特有の触感とによって、目視しなくても、手触りでウェビングの捩れの有無をより容易に確認することができる。
【図面の簡単な説明】
【０００８】
以下、本発明による典型的な実施形態の非限定的な例を挙げ、言及された複数の図面を参照しつつ後述のように詳細に説明するが、同様の参照符号は図面のいくつかの図を通して同様の部品であることを表す。
【図１】乗員がシートベルトを着用している様子を示す説明図である。
【図２】ウェビングが捩れずに正常に引き出されている様子を示す説明図である。
【図３】引き出されるときにウェビングが捩れている様子を示す説明図である。
【図４】一端部側と他端部側の経糸の繊度が異なるウェビングの一例の模式的な平面図である。
【図５】一端部側と他端部側の経糸の繊度が異なるウェビングの他例の模式的な平面図である。
【図６】一端部側と他端部側の経糸の繊度が異なるウェビングの他例の模式的な平面図である。
【図７】一端部側と他端部側の経糸の繊度が異なるウェビングの他例の模式的な平面図である。
【発明を実施するための形態】
【０００９】
以下、本発明を、図も参照しながら詳しく説明する。
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
本実施形態に係るシートベルト用ウェビング（１）［以下、ウェビング（１）ということもある。］は、経糸（３ａ、３ｂ、３ｃ）と緯糸（５）とを用いて製織された織布からなる。また、その幅方向の一端部側（７）には、緯糸（５）から形成された複数の第１ループ（９）が配されている。更に、その幅方向の他端部側（１１）には、緯糸（５）から形成された複数の第２ループ（１３）が配されている。また、複数の第２ループ（１３）は絡み糸（１５）が編み込まれて互いに結ばれている。更に、一端部側（７）に用いられている経糸（３）と、他端部側（１１）に用いられている経糸（３）とでは、繊度が異なっている。
【００１１】
（１）シートベルト装置
本実施形態に係るシートベルト用ウェビング（１）が用いられるシートベルト装置（１７）は特に限定されない。例えば、図１のシートベルト装置（１７）では、ウェビング（１）は、ボディパネルのピラーの下部に取り付けられたリトラクター（２１）から引き出される。即ち、ウェビング（１）の一端部にはリトラクター（２１）が配置されている。また、ウェビング（１）は、乗員（１９）の側方上部に固定されたスルーアンカー（２３）のウェビング挿通孔（２５）に挿通されている。
【００１２】
ウェビング（１）は、スルーアンカー（２３）から下方に向かって引き出される。また、ウェビング（１）にはタングプレート（２７）が挿通されている。そして、タングプレート（２７）は、車両用シート（２９）に取り付けられたバックル（３１）に着脱可能に係合されるようになっている。また、ウェビング（１）の他端部は、フロアパネル又はシートパネルの下部に配置されたアンカー（３３）に取り付けられている。
【００１３】
本実施形態に係るシートベルト用ウェビング（１）は、上述のようにスルーアンカー（２３）のウェビング挿通孔（２５）に挿通されている。そして、着座した乗員（１９）は、ウェビング（１）を手（３５）で持ってスルーアンカー（２３）から下方に向かって引き出す（図２、３参照）。例えば、図１のパッセンジャーズシートの場合、左手でウェビング（１）を持って引き出し、その後、右手でタングプレート（２７）を持ち、バックル（３１）に係合させてシートベルトを装着する。このような手順は一例であり、人によって装着の手順は異なる。しかし、ウェビング（１）を下方に引き出し、タングプレート（２７）をバックル（３１）に係合させる操作は共通である。また、装着の際に手（３５）でウェビング（１）を引き出すことも共通している。
【００１４】
シートベルトの装着は、上述のように人手によってなされる。また、目視によりウェビング（１）の捩れの有無を確認しながら装着すればよいが、目視により確認しないこともある。この場合、ウェビング（１）が捩れたまま装着されてしまうこともある［図３の捩れ部（３７）参照］。このような捩れを防止する形態としては、以下のようなものが挙げられる。
【００１５】
（２）実施形態１
実施形態１のシートベルト用ウェビング（１）では、繊度の小さい経糸（３ａ）を用いてなる領域（３９）と、繊度の大きい経糸（３ｂ）を用いてなる領域（４１）とを備える形態とすることができる（図４参照）。このウェビング（１）では、領域（３９）の領域（４１）に対する幅方向における寸法比を、領域（４１）の幅方向の寸法を１としたときに、０．７〜１．３とすることができる。また、この寸法比は、１／０．９〜１．１とすることもできる。
【００１６】
また、繊度が小さい経糸（３ａ）を用いてなる領域（３９）は、繊度が大きい経糸（３ｂ）を用いてなる領域（４１）と比べて、手（３５）で持ったときの触感により薄く感じられる。そのため、目視しなくてもウェビング（１）を手（３５）で持ったときの触感により捩れの有無［捩れのない図２及び捩れ部（３７）がある図３参照］を確認することができる。
【００１７】
繊度の小さい経糸（３ａ）及び繊度の大きい経糸（３ｂ）の各々の繊度は、ウェビング（１）の長さ方向の引張強さが十分である限り、特に限定されない。幅方向の一端部側（７）及び他端部側（１１）のうちの一方の繊度の小さい側の経糸（３ａ）は、７５〜１１００ｄｔｅｘとすることができ、２８０〜７００ｄｔｅｘであることが好ましい。一方、繊度の大きい側の経糸（３ｂ）は、１１００〜２２００ｄｔｅｘとすることができ、１６７０〜２０００ｄｔｅｘであることが好ましい。
【００１８】
また、実施形態１では、領域（３９）の領域（４１）に対する、ウェビング（１）の幅方向における寸法比が０．７以上と大きい。そのため、長さ方向の引張強さの観点で、繊度の小さい経糸（３ａ）の繊度は、２８０〜７００ｄｔｅｘ、特に４００〜５６０ｄｔｅｘであることが好ましい。一方、領域（３９）と領域（４１）との厚薄の差を大きくするために、繊度の大きい経糸（３ｂ）の繊度は、１１００〜２２００ｄｔｅｘ、特に１４００〜１６７０ｄｔｅｘであることが好ましい。
【００１９】
ウェビング（１）には緯糸（５）が織り込まれている。そして、ウェビング（１）の幅方向の一端部側（７）には緯糸（５）から形成された複数の第１ループ（９）が配されている。一方、他端部側（１１）側には緯糸（５）から形成された複数の第２ループ（１３）が配されている。この緯糸（５）の繊度は特に限定されないが、２５０〜１５００ｄｔｅｘ、特に５００〜１０００ｄｔｅｘであることが好ましい。
【００２０】
更に、緯糸（５）は、ウェビング（１）の幅方向の一端部側（７）では経糸（３）と製織されている。一方、ウェビング（１）の幅方向の他端部側（１１）では経糸（３）と製織されていない。このままでは、他端部側（１１）ではウェビング（１）がほつれてしまう。そこで、他端部側（１１）の複数の第２ループ（１３）には、編み針（Ｎ）によって絡み糸（１５）が編み込まれて互いに結ばれている。
【００２１】
上述のように、緯糸（５）からなる複数の第２ループ（１３）に、絡み糸（１５）が編み込まれていると、経糸（３）と緯糸（５）とが製織されているウェビング（１）の幅方向の一端部側（７）とは明らかに触感が異なる。この場合、ウェビング（１）の幅方向の他端部側（１１）で繊度の大きい経糸（３ｂ）を用いることが好ましい。このようにすれば、経糸（３ｂ）の繊度が大きいことによる触感と、絡み糸（１５）による特有の触感との相乗効果で、ウェビング（１）の捩れの有無をより容易に確認することができる。
【００２２】
また、絡み糸（１５）はモノフィラメントでもよく、マルチフィラメントでもよいが、モノフィラメントであることが好ましい。モノフィラメントであれば、マルチフィラメントとは異なる特有の触感により、ウェビング（１）の捩れの有無をより容易に確認することができる。絡み糸（１５）がモノフィラメントである場合、繊度等は特に限定されない。繊度は５００〜１０００ｄｔｅｘ、特に５００〜８００ｄｔｅｘであることが好ましい。また、十分な強度を有し、且つ伸縮し難い絡み糸（１５）であることが好ましい。即ち、絡み糸（１５）の引張強さは３〜１０ｃＮ／ｄｔｅｘ、引張伸びは１０〜２０％、乾熱収縮率は５％以下であることが好ましい。
【００２３】
（３）実施形態２
以下、図５〜７を用いて実施形態２により本発明を具体的に説明する。尚、前述の実施形態１と同一の構成については、同一の符号を付し、同一の構成、構造等の説明は省略する。
実施形態２に係るウェビング（１）では、ウェビング（１）の幅方向の一端部側（７）又は他端部側（１１）に、所定本数の繊度の小さい経糸（３ａ）が配されて領域（４３）が形成される（図５参照）。図５では、一端部側（７）に領域（４３）が形成されているが、他端部側（１１）に領域（４３）が形成されていてもよい。領域（４３）の形成に用いられる繊度の小さい経糸（３ａ）の本数は、８〜４０本、特に２０〜３０本とすることができる。これにより、領域（４１）と比べて薄い領域（４３）を形成することができる。
【００２４】
また、実施形態２では、領域（４３）の幅方向における寸法が小さい。そのため、繊度の小さい経糸（３ａ）としてより繊度の小さい経糸（３ａ）を用いても、ウェビング（１）の長さ方向の引張強さの低下が問題になることはない。
【００２５】
更に、実施形態２では、ウェビング（１）の幅方向の一端部側（７）又は他端部側（１１）に、所定本数の、より繊度が大きい経糸（３ｃ）を配して領域（４５）を形成することもできる（図６参照）。図６では、他端部側（１１）に領域（４５）が形成されているが、一端部側（７）に領域（４５）が形成されていてもよい。経糸（３ｃ）の本数は、８〜４０本、特に２０〜３０本とすることができる。また、経糸（３ｃ）の繊度は、１６７０〜２２００ｄｔｅｘとすることができ、経糸（３ｂ）の繊度によっては、１７００〜１８００ｄｔｅｘとすることもできる。これにより、領域（４１）と比べて厚い領域（４５）を形成することができる。
【００２６】
また、変形例として、例えば、図７のように、ウェビング（１）の幅方向の一端部側（７）に領域（４３）を形成するとともに、他端部側（１１）に領域（４５）を形成することができる。このように、領域（４３）及び領域（４５）をともに形成したときは、より容易にウェビング（１）の捩れの有無を確認することができる。この場合、領域（４３）と領域（４５）との間の中間部は、繊度の大きい経糸（３ｂ）を用いてなる領域（４１）とすることができる。
【００２７】
このように、ウェビング（１）の幅方向の一端部側（７）及び他端部側（１１）に、領域（４３）及び領域（４５）のうちの少なくとも一方を形成することができる。これにより、手（３５）の触感によりウェビング（１）の捩れの有無を容易に確認することができる。
【００２８】
尚、実施形態２では、領域（４３）及び領域（４５）の各々を、経糸（３ａ、３ｃ）の本数によって設定したが、領域（４３）及び領域（４５）は、それぞれの幅をウェビング（１）の幅方向の一端又は他端からの寸法によって設定することもできる。この寸法は、１．０〜１０．０ｍｍ、特に２．０〜８．０ｍｍとすることができる。このように、領域（４３）及び領域（４５）の各々の幅方向の寸法を特定することによっても、手（３５）の触感によりウェビング（１）の捩れの有無を容易に確認することができる。
【００２９】
（４）ウェビングの長さ、幅及び用いられる糸
ウェビング（１）の長さは特に限定されない。３点式シートベルトでは、通常、２０００〜４０００ｍｍ、好ましくは、３０００〜３７００ｍｍである。この範囲の長さであれば、肩、胸及び腰に架け渡すことができるとともに、リトラクター（２１）に巻き取り易く好適である。ウェビング（１）の幅は特に限定されない。通常４６〜５４ｍｍ、好ましくは、４７〜４９ｍｍである。この範囲の幅であれば、乗員に不快感を与えることなく、快適にシートベルトを装着することができる。
【００３０】
ウェビング（１）の製造に用いられる糸は特に限定されず、公知の糸を幅広く用いることができる。糸としては、好ましくは、合成樹脂からなるフィラメントが用いられる。このフィラメントとしては、マルチフィラメントとモノフィラメントとがあるが、経糸（３ａ、３ｂ、３ｃ）及び緯糸（５）としては、通常、マルチフィラメントが用いられる。また、絡み糸（１５）としては、前述のように、モノフィラメントが用いられる。フィラメントの材質は特に限定されず、各種の合成樹脂からなるフィラメントを用いることができる。
【００３１】
合成樹脂は特に限定されない。例えば、ポリエチレンテレフタレート（ＰＥＴ）、ポリブチレンテレフタレート、ポリトリメチレンテレフタレート等のポリエステル系樹脂、ナイロン６、ナイロン６６等のポリアミド系樹脂、ポリアクリル系樹脂、高密度ポリエチレン、ポリプロピレン等のポリオレフィン系樹脂などが挙げられる。合成樹脂としては、特にポリエステル系樹脂及びポリアミド系樹脂が好ましい。また、優れた引張強さを有するＰＥＴ等のポリエステル系樹脂がより好ましい。
【００３２】
また、経糸（３ａ、３ｂ、３ｃ）がマルチフィラメントであるとき、フィラメント数は特に限定されず、繊度等によって設定することができる。フィラメント数は、４５〜３００本とすることができ、特に１００〜２００本であることが好ましい。また、緯糸（５）がマルチフィラメントであるとき、フィラメント数は特に限定されず、繊度等によって設定することができる。フィラメント数は、２０〜２００本とすることができ、特に４５〜１３０本であることが好ましい。
【実施例】
【００３３】
以下、図面を用いて実施例により本発明を具体的に説明する。
（１）シートベルト用ウェビングの構成
実施例１
本実施例に係るシートベルト用ウェビング１は、図１のように、スルーアンカー２３のウェビング挿通孔２５から引き出されて用いられる。このウェビング１の幅は４７ｍｍである。このウェビング１では、図５のように、幅方向の一端部側７では繊度が５６０ｄｔｅｘの経糸３ａが用いられて領域４３が形成されている。一方、他端部側１１では繊度が１６７０ｄｔｅｘの経糸３ｂが用いられて領域４１が形成されている。また、領域４３の幅は３．０ｍｍであり、領域４１の幅は４４ｍｍである。更に、経糸３ａ、３ｂはいずれもＰＥＴ樹脂からなるマルチフィラメントである。また、経糸３ａのフィラメント数は４８本であり、経糸３ｂのフィラメント数は１４４本である。
【００３４】
緯糸５はＰＥＴ樹脂からなるマルチフィラメントである。その繊度は７００ｄｔｅｘであり、フィラメント数は９６本である。また、ウェビング１の幅方向の一端部側７の緯糸５から形成された複数の第１ループ９は経糸３ａと製織されている。一方、他端部側１１の緯糸５から形成された複数の第２ループ１３は経糸３ｂと製織されていない。そして、複数の第２ループ１３に絡み糸１５が編み込まれている。絡み糸１５はＰＥＴ製のモノフィラメントであり、繊度は６７７ｄｔｅｘである。更に、絡み糸１５の引張強さは５．９ｃＮ／ｄｔｅｘ、引張伸びは１５％、乾熱収縮率は３％である。また、領域４３の織物組織は１／１平織組織である。一方、領域４１の織物組織は２／２綾織組織である。
【００３５】
実施例２
領域４１の織物組織を３／３綾織組織とした他は、実施例１と同様にしてシートベルト用ウェビング１を作製した。
【００３６】
（２）シートベルト用ウェビングの作用
実施例１のシートベルト用ウェビング１では、幅方向の一端部側７では繊度が小さい経糸３ａが用いられ、他端部側１１では繊度が大きい経糸３ｂが用いられている。このように、経糸３ａ、３ｂの繊度の相違によって、幅方向の一端部側７は相対的に薄い領域４３、他端部側１１は相対的に厚い領域４１とされている。そのため、乗員１９がウェビング１を手３５で持ってスルーアンカー２３から引き出すとき、目視で確認しなくても、手３５の触感によるウェビング１の厚薄によって捩れの有無を確認することができる。
【００３７】
また、ウェビング１の他端部側１１では、複数の第２ループ１３にＰＥＴ製のモノフィラメントからなる絡み糸１５が編み込まれている。従って、モノフィラメントの特有の触感により他端部側１１であることが分かり易い。このように、ウェビング１の他端部側１１では、一端部側９と比べて厚いことと、モノフィラメントからなる絡み糸１５の特有の触感とによって、捩れの有無をより容易に確認することができる。
【００３８】
更に、実施例２のシートベルト用ウェビング１では、他端部側１１の織物組織が３／３綾織組織である。そのため、他端部側１１の織物組織が２／２綾織組織である実施例１と比べて、領域４１は実施例１より更に厚く感じられる。従って、手３５の触感によるウェビング１の厚薄によって捩れの有無を特に容易に確認することができる。このように、経糸３ａ、３ｂの繊度の相違に加えて、異なる織物組織とすることによって、触感による捩れの有無をより容易に確認することができるウェビング１とすることもできる。
【００３９】
尚、本発明においては、上述の具体的な実施例に限られず、目的、用途等に応じて本発明の範囲内で種々変更した実施例とすることができる。例えば、実施例１、２では、ウェビング１の幅を４７ｍｍとしたが、衝突時等に乗員１９を確実に拘束することができ、且つ乗員１９に過度な負荷が加わらない範囲で、より幅狭とすることもできる。また、幅広とすることもできる。更に、実施例１、２では、領域４３の幅を３．０ｍｍとし、領域４１の幅を４４ｍｍとしたが、この幅に限定されず、ウェビング１の全幅及び長さ方向の引張強さ等によって適宜調整することができる。更に、実施例１、２では、ウェビング１の長さを３５００ｍｍとしたが、これに限られず、シートベルト装置１７が搭載される乗り物の種類に応じて適宜調整することができる。
【００４０】
また、実施例１、２では、領域４３の織物組織を１／１平織組織とし、領域４１の織物組織を２／２綾織組織又は３／３綾織組織とした。これらの領域４３及び領域４１の各々の織物組織は特に限定されない。組織としては、１／１組織、２／１組織、１／２組織、２／２組織、２／３組織、３／２組織、３／３組織等とすることができる。更に、織物組織としては、平織組織、綾織組織、斜子組織、朱子組織等の各種の織物組織とすることができる。これらの織物は、手３５で触れたときの触感として、薄い領域はより薄く、厚い領域はより厚く感じられる組織の組み合わせとすることが好ましい。
【００４１】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【産業上の利用可能性】
【００４２】
引き出すときにウェビングの捩れの有無を手の触感によって容易に確認することができるシートベルト用ウェビングの技術分野において利用することができる。
【符号の説明】
【００４３】
１；シートベルト用ウェビング、３ａ、３ｂ、３ｃ；経糸、５；緯糸、７；一端部側、９；第１ループ、１１；他端部側、１３；第２ループ、１５；絡み糸、１７；シートベルト装置、１９；乗員、２１；リトラクター、２３；スルーアンカー、２５；ウェビング挿通孔、２７；タングプレート、２９；車両用シート、３１；バックル、３３；アンカー、３５；手、３７；捩れ部、３９、４３；繊度の小さい経糸を用いてなる領域、４１；繊度の大きい経糸を用いてなる領域、４５；より繊度の大きい経糸を用いてなる領域、Ｎ；編み針。
【図１】
2015016736.tif 000003
【図２】
2015016736.tif 000004
【図３】
2015016736.tif 000005
【図４】
2015016736.tif 000006
【図５】
2015016736.tif 000007
【図６】
2015016736.tif 000008
【図７】
2015016736.tif 000009